(57)【要約】【課題】中和剤を確実に落下させることができる中和装置およびそれを備えた熱源機を提供する。【解決手段】中和装置１は、ドレンを中和するためのものである。中和装置１は、中和槽１３と、中和剤１５とを備えている。中和装置１は、互いに対向する一方側面Ｓ１および他方側面Ｓ２と、一方側面Ｓ１および他方側面Ｓ２を繋ぐ底面Ｂと、一方側面Ｓ１に設けられた流入口１３ａと、他方側面Ｓ２に設けられた流出口１３ｂとを有する。中和剤１５は、中和槽１３の底面Ｂに載置されている。中和装置１は、中和槽１３に流入口１３ａから流入したドレンが、一方側面Ｓ１から他方側面Ｓ２まで底面Ｂに沿って中和剤に接しながら流れて流出口１３ａから流出するように構成されている。【選択図】図２
2017006817.tif 000002
【特許請求の範囲】
【請求項１】
ドレンを中和するための中和装置であって、
互いに対向する一方側面および他方側面と、前記一方側面および前記他方側面を繋ぐ底面と、前記一方側面に設けられた流入口と、前記他方側面に設けられた流出口とを有する中和槽と、
前記中和槽の前記底面に載置された中和剤とを備え、
前記中和槽に前記流入口から流入した前記ドレンが、前記一方側面から前記他方側面まで前記底面に沿って前記中和剤に接しながら流れて前記流出口から流出するように構成されている、中和装置。
【請求項２】
前記中和槽は、前記底面から上方に延びることによって前記中和槽の内部空間を複数の領域に区切る壁部を含み、
前記中和剤は、前記内部空間の前記複数の領域の各々において前記底面に載置されており、
前記壁部は、前記複数の領域を互いに連通する開口を含む、請求項１に記載の中和装置。
【請求項３】
前記底面は、
第１の底面部と、
前記第１の底面部よりも前記他方側面側に配置され、かつ前記第１の底面部よりも低い位置に配置された第２の底面部と、
前記第２の底面部から立ち上がり、前記第１の底面部に接続された立ち上がり部とを含む、請求項１または２に記載の中和装置。
【請求項４】
前記流入口に接続された流路部材をさらに備え、
前記流路部材は、前記流入口に前記ドレンを一定量ずつ供給可能に構成されている、請求項１〜３のいずれか１項に記載の中和装置。
【請求項５】
前記中和剤の平衡ｐＨがアルカリ性である、請求項１〜４のいずれか１項に記載の中和装置。
【請求項６】
請求項１〜５のいずれか１項に記載の中和装置を備えた、熱源機。
【発明の詳細な説明】
【技術分野】
【０００１】
本発明は、中和装置および熱源機に関し、特に、ドレンを中和するための中和装置およびそれを備えた熱源機に関するものである。
【背景技術】
【０００２】
熱源機の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露する。このため、熱交換器に多量のドレン（結露水）が発生する。燃焼排気ガス中には窒素酸化物などが含まれる。この窒素酸化物がドレンに溶け込んでドレンは酸性となる。この酸性のドレンを中和するために中和剤が用いられている。
【０００３】
たとえば、特開２０１５−３９６８７号公報（特許文献１）には、中和剤により酸性のドレンを中和する中和装置が記載されている。この公報に記載された中和装置では、流路部材の排出口から排出されたドレンは、中和槽に充填された中和剤の表面に沿って下方に流れ落ちる。排出口は中和剤の内部に配置されているため、排出口よりも下方に位置する中和剤がドレンと反応して消耗することにより、中和剤にスペースが生じる。そして、このスペースに排出口よりも上方に位置する中和剤が落下する。
【先行技術文献】
【特許文献】
【０００４】
【特許文献１】特開２０１５−３９６８７号公報
【発明の概要】
【発明が解決しようとする課題】
【０００５】
上記の公報に記載された中和装置では、湿気によって中和剤が固着することがある。この場合、固着した中和剤のうち排出口から流れ落ちたドレンと反応した部分では、中和剤が消耗することによりスペースが生じる。しかしながら、このスペースの外側の部分において固着した中和剤が中和槽の底面部に支持されるため、排出口よりも上方に位置する中和剤が落下しないことがある。
【０００６】
本発明は、上記の課題に鑑みてなされたものであり、その目的は、中和剤を確実に落下させることができる中和装置およびそれを備えた熱源機を提供することである。
【課題を解決するための手段】
【０００７】
本発明の中和装置は、ドレンを中和するためのものである。中和装置は、中和槽と、中和剤とを備えている。中和装置は、互いに対向する一方側面および他方側面と、一方側面および他方側面を繋ぐ底面と、一方側面に設けられた流入口と、他方側面に設けられた流出口とを有する。中和剤は、中和槽の底面に載置されている。中和装置は、中和槽に流入口から流入したドレンが、一方側面から他方側面まで底面に沿って中和剤に接しながら流れて流出口から流出するように構成されている。
【０００８】
本発明の中和装置によれば、中和槽に流入口から流入したドレンが一方側面から他方側面まで底面に沿って中和剤に接しながら流れて流出口から流出するため、底面に沿って中和剤をドレンと反応させることができる。したがって、底面の全ての領域において中和剤をドレンと反応させて消耗させることができる。これにより、消耗した中和剤の上方に位置する中和剤を確実に落下させることができる。
【０００９】
上記の中和装置においては、中和槽は、底面から上方に延びることによって中和槽の内部空間を複数の領域に区切る壁部を含む。中和剤は、内部空間の複数の領域の各々において底面に載置されている。壁部は、複数の領域を互いに連通する開口を含む。したがって、複数の領域の各々の底面の面積を小さくすることができる。このため、底面の全ての領域において中和剤をドレンと反応させて消耗させやすくすることができる。これにより、消耗した中和剤の上方に位置する中和剤をさらに落下させやすくすることができる。
【００１０】
上記の中和装置においては、底面は、第１の底面部と、第２の底面部と、立ち上がり部とを含む。第２の底面部は、第１の底面部よりも他方側面側に配置され、かつ第１の底面部よりも低い位置に配置されている。立ち上がり部は、第２の底面部から立ち上がり、第１の底面部に接続されている。このため、第１の底面部から第２の底面部にドレンを流しやすくすることができる。これにより、他方側面側に配置された第２の底面部に載置された中和剤をドレンと反応させて消耗させやすくすることができる。
【００１１】
上記の中和装置においては、流入口に接続された流路部材をさらに備えている。流路部材は、流入口にドレンを一定量ずつ供給可能に構成されている。このため、ドレンと中和剤との反応量を一定化することができる。これにより、中和能力を安定させることができる。
【００１２】
上記の中和装置においては、中和剤の平衡ｐＨがアルカリ性である。このため、平衡ｐＨがアルカリ性の中和剤で酸性のドレンを中和することができる。
【００１３】
本発明の熱源機は、上記の中和装置を備えている。したがって、中和剤を確実に落下させることができる中和装置を備えた熱源機を提供することができる。
【発明の効果】
【００１４】
以上説明したように本発明によれば、中和剤を確実に落下させることができる中和装置およびそれを備えた熱源機を提供することができる。
【図面の簡単な説明】
【００１５】
【図１】本発明の一実施の形態における熱源機の構成を概略的に示す概略図である。
【図２】本発明の一実施の形態における中和装置の構成を概略的に示す概略図である。
【図３】図２のＰ１部の構成を概略的に示す斜視図である。
【図４】本発明の一実施の形態の変形例における図３に対応する斜視図である。
【図５】図２に示す中和装置においてドレンが中和される様子を示す概略図である。
【図６】図３に示す中和装置においてドレンが消耗した様子を示す概略図である。
【発明を実施するための形態】
【００１６】
以下、本発明の一実施の形態について図に基づいて説明する。
まず本発明の実施の形態の熱源機の構成について説明する。
【００１７】
図１を参照して、本実施の形態の熱源機は、潜熱回収式の熱源機であり、熱源機で発生したドレンＤを回収し、排出可能に構成されている。本実施の形態の熱源機は、中和装置１と、ドレンタンク２と、水位検知手段３と、ドレン排出ポンプ４と、逆止弁５と、制御部６と、給湯側熱交換器２１と、風呂側熱交換器２２と、ドレン受け２３と、給湯配管２４ａと、給水配管２４ｂと、往き配管２５ａと、戻り配管２５ｂと、燃焼バーナ２６と、送風機２７とを主に有している。
【００１８】
中和装置１は、熱源機で発生したドレンＤを中和するためのものである。中和装置１は、ドレンタンク２およびドレン受け２３に接続されており、ドレン受け２３で受けられた酸性のドレンＤを中和させた後に、ドレンタンク２内に供給できるように構成されている。中和装置１の構成については後で詳しく説明する。
【００１９】
ドレンタンク２は、潜熱回収式熱源機で発生したドレンＤを貯留するためのものである。水位検知手段３は、ドレンタンク２内におけるドレンＤの水位を検知するためのものである。水位検知手段３は、ドレンタンク２内におけるドレンＤの水位が少なくとも高位および低位のいずれかにあることを検知可能である。この水位検知手段３は、ドレンタンク２内の低水位（Ｌ：低位）を検知するための電極部Ｌと、高水位（Ｈ：高位）を検知するための電極部Ｈとを有している。
【００２０】
ドレン排出ポンプ４は、ドレンタンク２に貯留されたドレンＤを機外に排出するためのものである。ドレン排出ポンプ４はドレンタンク２に接続されている。ドレン排出ポンプ４の下流側に逆止弁５が接続されていてもよい。この逆止弁５は、逆止弁５の上流側から下流側へのドレンＤの流れを許容し、下流側から上流側へのドレンＤの流れを許容しないよう構成されている。またドレンＤの排出先は、たとえば浴室防水パンなどの排出部などである。
【００２１】
制御部６は、水位検知手段３、ドレン排出ポンプ４の各々に電気的に接続されている。制御部６は水位検知手段３からのドレンＤの水位が高位以上であることの信号に基づいて、ドレンＤの水位が低位であることの信号が入力されるまでドレン排出ポンプ４を駆動するよう制御可能に構成されている。
【００２２】
給湯側熱交換器２１および風呂側熱交換器２２のそれぞれは、潜熱回収型の熱交換器である。潜熱回収型の熱交換器では、従来排出していた熱交換後のガスが二次熱交換器へ通されることで二次熱交換器内の水が予熱される。この過程で燃焼ガスの温度が６０℃程度まで下がることで、燃焼ガス中に含まれる水分が凝縮して潜熱を得ることができる。このため、給湯側熱交換器２１は、一次熱交換器２１ａと、二次熱交換器２１ｂとを有している。また、風呂側熱交換器２２は、一次熱交換器２２ａと、二次熱交換器２２ｂとを有している。
【００２３】
給湯側熱交換器２１において、一次熱交換器２１ａの一方端と二次熱交換器２１ｂの一方端とは互いに接続されている。一次熱交換器２１ａの他方端には給湯配管２４ａが接続されており、二次熱交換器２１ｂの他方端には給水配管２４ｂが接続されている。一次熱交換器２１ａが二次熱交換器２１ｂよりも燃焼バーナ２６の近くに配置されている。
【００２４】
また風呂側熱交換器２２においても、一次熱交換器２２ａの一方端と二次熱交換器２２ｂの一方端とは互いに接続されている。一次熱交換器２２ａの他方端には往き配管２５ａが接続されており、二次熱交換器２２ｂの他方端には戻り配管２５ｂが接続されている。一次熱交換器２２ａが二次熱交換器２２ｂよりも燃焼バーナ２６の近くに配置されている。
【００２５】
燃焼バーナ２６は、給湯側熱交換器２１および風呂側熱交換器２２との間で熱交換を行なうための燃焼ガスを発生させるためのものである。送風機２７は燃焼バーナ２６に対して燃焼に必要な空気を供給するためのものである。
【００２６】
潜熱回収式の熱交換器では、上記のとおり燃焼ガスの水蒸気を凝縮させる構造上、凝縮した水（ドレン）が発生するためドレンＤの排水が必要である。このため、ドレン受け２３が、二次熱交換器２１ｂ、２２ｂのそれぞれの下側に配置されている。このドレン受け２３で受けられたドレンＤは、排気ガス中の窒素酸化物などが溶け込んでいるため、酸性となる。この酸性のドレンＤはドレン受け２３から中和装置１に供給される。
【００２７】
次に、本実施の形態の中和装置の構成について詳しく説明する。
図１および図２を参照して、中和装置１は、ドレン貯留槽１１と、流路部材１２と、中和槽１３と、排出槽１４と、中和剤１５とを備えている。ドレン貯留槽１１はドレン受け２３から供給された酸性のドレンＤを一時的に貯留するためのものである。ドレン貯留槽１１は内部の空間にドレンＤを貯留可能に構成されている。
【００２８】
流路部材１２はドレン貯留槽１１から中和槽１３にドレンＤを排出するためのものである。流路部材１２は取込口１２ａと排出口１２ｂとを有している。取込口１２ａはドレン貯留槽１１の内部に開口するように配置されており、排出口１２ｂは中和槽１３の一方側面Ｓ１に設けられた流入口１３ａに連通するように配置されている。つまり、流路部材１２によってドレン貯留槽１１と中和槽１３とは連通している。
【００２９】
本実施の形態では、流路部材１２は、中和槽１３の流入口１３ａにドレンＤを一定量ずつ供給可能に構成されている。具体的には、流路部材１２は、取込口１２ａから上方へ延びた後に下方に延びて排出口１２ｂに達してサイフォンを構成している。このため、流路部材１２は、取込口１２ａからドレン貯留槽１１に貯留されたドレンＤを取り込んで、排出口１２ｂから一定量のドレンＤを中和槽１３に排出することができる。つまり、サイフォンによる１回の排出によって、流路部材１２の上端部の高さ位置から取込口１２ａの高さ位置までのドレンＤを排出することができる。このため、流路部材１２は排出口１２ｂから排出されるドレンＤの流量を一定化することができる。また、流路部材１２は排出口１２ｂから排出されるドレンＤの流速を一定化することができる。
【００３０】
流路部材１２は、たとえば管であってもよく、また成形による流路を有するものであってもよい。この管としては、たとえば円筒状のものであってもよく、矩形状のものであってもよい。また、この成形による流路を有するものとしては、たとえば、板材をプレス成形したものであってもよく、樹脂成形により形成された凹部が流路を構成するものであってもよい。
【００３１】
中和槽１３は、酸性のドレンＤを中和剤１５によって中和するためのものである。中和槽１３は、内部の空間に中和剤１５を収容可能である。中和槽１３は、内部の空間において、酸性のドレンＤが中和剤１５と反応することにより酸性のドレンＤを中和するように構成されている。
【００３２】
中和槽１３は、一方側面Ｓ１と、他方側面Ｓ２と、底面Ｂと、流入口１３ａと、流出口１３ｂと、壁部Ｗとを主に有している。一方側面Ｓ１は、中和槽１３の左右幅方向の一方端に配置されている。他方側面Ｓ２は、中和槽１３の左右幅方向の他方端に配置されている。一方側面Ｓ１および他方側面Ｓ２は互いに対向するように配置されている。
【００３３】
流入口１３ａは一方側面Ｓ１に設けられている。流入口１３ａに流路部材１２が接続されている。具体的には、流入口１３ａに流路部材１２の排出口１２ｂが連通している。流出口１３ｂは、他方側面Ｓ２に設けられている。流出口１３ｂに排出槽１４が接続されている。
【００３４】
底面Ｂは一方側面Ｓ１および他方側面Ｓ２を繋ぐように構成されている。底面Ｂは、中和剤１５を載置可能に構成されている。底面Ｂは、流入口１３ａの高さ位置よりも下方に配置されている。中和装置１は、中和槽１３に流入口１３ａから流入したドレンＤが、一方側面Ｓ１から他方側面Ｓ２まで底面Ｂに沿って中和剤１５に接しながら流れて流出口１３ｂから流出するように構成されている。
【００３５】
本実施の形態では、底面Ｂは、第１の底面部Ｂ１と、第２の底面部と、立ち上がり部Ｔとを含んでいる。第１の底面部Ｂ１は、一方側面Ｓ１に接続されている。第２の底面部Ｂ２は、第１の底面部Ｂ１よりも他方側面Ｓ２側に配置されている。第２の底面部Ｂ２は、第１の底面部Ｂ１よりも低い位置に配置されている。立ち上がり部Ｔは、第２の底面部Ｂ２から立ち上がり、第１の底面部Ｂ１に接続されている。第１の底面部Ｂ１は、第２の底面部Ｂ２よりも上方の高さ位置に配置されている。
【００３６】
本実施の形態では、底面Ｂは、第３の底面部Ｂ３と、第４の底面部Ｂ４とをさらに含んでいる。第３の底面部Ｂ３は、第２の底面部Ｂ２よりも他方側面Ｓ２側に配置されている。第３の底面部Ｂ３は、第２の底面部Ｂ２よりも低い位置に配置されている。第３の底面部Ｂ３は、立ち上がり部Ｔによって第２の底面部Ｂ２に接続されている。
【００３７】
第４の底面部Ｂ４は、他方側面Ｓ２に接続されている。第４の底面部Ｂ４は、立ち上がり部Ｔによって第３の底面部Ｂ３に接続されている。第４の底面部Ｂ４は、第３の底面部Ｂ３よりも低い位置に配置されている。第１〜第４の底面部Ｂ１〜Ｂ４はそれぞれ一方側面Ｓ１から他方側面Ｓ２に向かって低い位置に配置されるように階段状に構成されている。
【００３８】
本実施の形態では、壁部Ｗは、底面Ｂから上方に延びることによって中和槽１３の内部空間を複数の領域に区切るように構成されている。中和剤１５は、中和槽１３の内部空間の複数の領域の各々において底面Ｂに載置されている。壁部Ｗは、複数の領域を互いに連通する開口ＯＰを含んでいる。開口ＯＰは壁部Ｗの下端部に設けられている。開口ＯＰはドレンＤを通過させ、中和剤１５を通過させない大きさの複数の貫通孔で構成されている。本実施の形態では、壁部Ｗは、第１〜第３の壁部材Ｗ１〜Ｗ３を含んでいる。開口ＯＰは、第１〜第３の開口部ＯＰ１〜ＯＰ３を有している。第１〜第３の開口部ＯＰ１〜ＯＰ３は、第１〜第３の壁部材Ｗ１〜Ｗ３の各々に設けられている。
【００３９】
第１の壁部材Ｗ１は、第１の底面部Ｂ１と第２の底面部Ｂ２との境界に配置されている。第１の壁部材Ｗ１は、第１の底面部Ｂ１と第２の底面部Ｂ２とを接続する立ち上がり部Ｔに連続して上方に延びている。第１の壁部材Ｗ１によって第１の底面部Ｂ１の上方の第１の領域Ｒ１と第２の底面部Ｂ２の上方の第２の領域Ｒ２とが区切られている。第１の開口部ＯＰ１は、第１の壁部材Ｗ１の下端部に設けられている。第１の開口部ＯＰ１は、第１の領域Ｒ１と第２の領域Ｒ２とを互いに連通している。第１の開口部ＯＰ１は複数の貫通孔を有している。
【００４０】
第２の壁部材Ｗ２は、第２の底面部Ｂ２と第３の底面部Ｂ３との境界に配置されている。第２の壁部材Ｗ２は、第２の底面部Ｂ２と第３の底面部Ｂ３とを接続する立ち上がり部Ｔに連続して上方に延びている。第２の壁部材Ｗ２によって第２の底面部Ｂ２の上方の第２の領域Ｒ２と第３の底面部Ｂ３の上方の第３の領域Ｒ３とが区切られている。第２の開口部ＯＰ２は、第２の壁部材Ｗ２の下端部に設けられている。第２の開口部ＯＰ２は、第２の領域Ｒ２と第３の領域Ｒ３とを互いに連通している。第２の開口部ＯＰ２は複数の貫通孔を有している。
【００４１】
第３の壁部材Ｗ３は、第３の底面部Ｂ３と第４の底面部Ｂ４との境界に配置されている。第３の壁部材Ｗ３は、第３の底面部Ｂ３と第４の底面部Ｂ４とを接続する立ち上がり部Ｔに連続して上方に延びている。第３の壁部材Ｗ３によって第３の底面部Ｂ３の上方の第３の領域Ｒ３と第４の底面部Ｂ４の上方の第４の領域Ｒ４とが区切られている。第３の開口部ＯＰ３は、第３の壁部材Ｗ３の下端部に設けられている。第３の開口部ＯＰ３は、第３の領域Ｒ３と第４の領域Ｒ４とを互いに連通している。第３の開口部ＯＰ３は複数の貫通孔を有している。
【００４２】
図３を参照して、第１の壁部材Ｗ１および第２の壁部材Ｗ２は互いに平行に配置されていてもよい。また、図示しないが、第２の壁部材Ｗ２および第３の壁部材Ｗ３も互いに平行に配置されていてもよい。
【００４３】
また、図４を参照して、第１の壁部材Ｗ１および第２の壁部材Ｗ２は互いに平行に配置されていなくてもよい。本実施の形態の変形例では、第１の壁部材Ｗ１および第２の壁部材Ｗ２は上方から下方に向かって互いの距離が大きくなるように構成されている。このため、中和剤１５を下方に落下させやすくすることができる。また、図示しないが、第２の壁部材Ｗ２および第３の壁部材Ｗ３も上方から下方に向かって互いの距離が大きくなるように構成されていてもよい。
【００４４】
排出槽１４は、内部の空間に流入したドレンＤを収容可能に構成されている。排出槽１４は、流入したドレンＤをドレンタンク２に供給可能に構成されている。排出槽１４は、入口１４ａと、出口１４ｂとを有している。入口１４ａは、中和槽１３の流出口１３ｂに連通している。出口１４ｂは、ドレンタンク２に連通している。
【００４５】
中和剤１５は、中和槽１３内に充填されている。中和剤１５の平衡ｐＨは、アルカリ性である。つまり、中和剤１５の平衡ｐＨ（水素イオン指数）の値は７よりも大きい。中和剤１５には、酸化マグネシウムを用いることができる。また、中和剤１５には、水酸化カルシウム、炭酸マグネシウムなども用いることができる。中和剤１５は複数の粒状の材料から構成されていてもよい。この場合、複数の材料の粒径は、たとえば１ｍｍ以上３ｍｍ以下である。なお、中和剤１５は繊維状、塊状の材料から構成されていてもよい。
【００４６】
中和剤１５は、ドレン流路部１５１と、ストック部１５２とを有している。ドレン流路部１５１は、ドレンＤと接触して反応するための部分である。中和槽１３は、ドレン流路部１５１にドレンＤが流れるように構成されている。ドレン流路部１５１は、排出口１２ｂの上端よりも下方に配置されている。
【００４７】
またストック部１５２は中和剤１５を保存するための部分である。中和槽１３は、ストック部１５２にドレンＤが流れないように構成されている。ストック部１５２は、ドレン流路部１５１の上方に配置されており、流路部材１２の排出口１２ｂよりも上方に配置されている。したがって、ストック部１５２はドレンＤと接触しないためドレンＤと反応もしない。
【００４８】
次に、本実施の形態のドレン排出動作について説明する。
図１および図５を参照して、熱源機が運転されると、給湯側熱交換器２１および風呂側熱交換器２２でドレンＤが発生する。このドレンＤはドレン受け２３に受けられ、ドレン受け２３から中和装置１に供給される。
【００４９】
中和装置１では、まずドレン貯留槽１１にドレン受け２３から供給された酸性のドレンＤが貯留される。ドレン貯留槽１１に貯留された酸性のドレンＤの水位が上昇すると取込口１２ａから流路部材１２内に酸性のドレンＤが取り込まれる。ドレン貯留槽１１に貯留されたドレンＤの水位が流路部材１２の上端部に達すると、取込口１２ａから流路部材１２内に取り込まれたドレンＤが流路部材１２の上端部を超えて排出口１２ｂに流れて排出口１２ｂから排出される。
【００５０】
このとき、流路部材１２がサイフォンを構成するため、ドレン貯留槽１１に貯留されたドレンＤの水位が取込口１２ａの高さ位置となるまでドレンＤが排出口１２ｂから排出される。このため、ドレン貯留槽１１に貯留されたドレンＤは、ドレンＤの水位が流路部材１２の上端部の高さ位置から取込口１２ａの高さ位置となるまで連続して排出される。このようにして、サイフォン作用により一定量のドレンＤが排出口１２ｂから排出される。
【００５１】
流路部材１２の排出口１２ｂから排出されたドレンＤは、中和槽１３の一方側面Ｓ１に設けられた流入口１３ａから中和槽１３に流入する。中和槽１３に流入口１３ａから流入したドレンＤは、一方側面Ｓ１から他方側面Ｓ２まで底面Ｂに沿って中和剤１５に接しながら流れて流出口１３ｂから流出する。この際、ドレンＤが中和剤１５に接して反応することによって、ドレンＤが中和される。
【００５２】
具体的には、中和槽１３の流入口１３ａから第１の領域Ｒ１に流入したドレンＤは、他方側面Ｓ２側に第１の底面部Ｂ１に沿って中和剤１５に接しながら流れる。この際、ドレンＤは、第１の領域Ｒ１に充填された中和剤１５のうち第１の底面部Ｂ１の近傍に配置された中和剤１５に接して反応する。その後、ドレンＤは、第１の開口部ＯＰ１を通って第２の領域Ｒ２に流入する。第２の領域Ｒ２に流入したドレンＤは、他方側面Ｓ２側に第２の底面部Ｂ２に沿って中和剤１５に接しながら流れる。この際、ドレンＤは、第２の領域Ｒ２に充填された中和剤１５のうち第２の底面部Ｂ２の近傍に配置された中和剤１５に接して反応する。その後、ドレンＤは、第２の開口部ＯＰ２を通って第３の領域Ｒ３に流入する。
【００５３】
第３の領域Ｒ３に流入したドレンＤは、他方側面Ｓ２側に第３の底面部Ｂ３に沿って中和剤１５に接しながら流れる。この際、ドレンＤは、第３の領域Ｒ３に充填された中和剤１５のうち第３の底面部Ｂ３の近傍に配置された中和剤１５に接して反応する。その後、ドレンＤは、第３の開口部ＯＰ３を通って第４の領域Ｒ４に流入する。
【００５４】
第４の領域Ｒ４に流入したドレンＤは、他方側面Ｓ２側に第４の底面部Ｂ４に沿って中和剤１５に接しながら流れる。この際、ドレンＤは、第４の領域Ｒ４に充填された中和剤１５のうち第４の底面部Ｂ４の近傍に配置された中和剤１５に接して反応する。その後、ドレンＤは、中和槽１３の他方側面Ｓ２に設けられた流出口１３ｂから排出される。
【００５５】
中和槽１３の流出口１３ｂから排出されたドレンＤは、排出槽１４の入口１４ａから排出槽１４に流入する。排出槽１４に流入したドレンＤは、出口１４ｂから排出される。これにより、ドレンＤは中和装置１から排出される。出口１４ｂから排出されたドレンＤは、ドレンタンク２に供給される。
【００５６】
ドレンタンク２では、水位検知手段３により検出されるドレンタンク２内の水位が高水位（Ｈ）以上か否かが判別され、水位が高水位（Ｈ）以上になった場合には、ドレン排出ポンプ４がＯＮされて、ドレンタンク２内のドレンＤが排出される。このドレンＤの排出後、水位が低水位（Ｌ）未満になった場合には、ドレン排出ポンプ４がＯＦＦされて、ドレンタンク２内のドレンＤの排出が停止される。このようにして、潜熱回収式の熱源機のドレンタンク２内の水位が制御される。
【００５７】
また、図５および図６を参照して、ドレン貯留槽１１に貯留された酸性のドレンＤが流路部材１２内を通って排出口１２ｂから排出されると、ドレン流路部１５１は酸性のドレンＤと反応することにより消耗する。これにより、ドレン流路部１５１にスペースが生じてドレン流路部１５１の体積が減少するが、ドレン流路部１５１の上方に位置するストック部１５２が落下してスペースが埋められる。つまり、ドレン流路部１５１の上方に位置するストック部１５２が自重により下方に移動してスペースが補填される。このようにして、酸性のドレンＤと接触して反応する部分の中和剤１５が自動的に補充される。これにより、ドレン流路部１５１の量を一定に保つことができるため、ドレンＤとドレン流路部１５１との反応量を一定に保つことができる。
【００５８】
次に、本実施の形態の作用効果について説明する。
図５に示すように、本実施の形態の中和装置１によれば、中和槽１３に流入口１３ａから流入したドレンＤが一方側面Ｓ１から他方側面Ｓ２まで底面Ｂに沿って中和剤１５に接しながら流れて流出口１３ｂから流出するため、底面Ｂに沿って中和剤１５をドレンＤと反応させることができる。したがって、底面Ｂの全ての領域において中和剤１５をドレンＤと反応させて消耗させることができる。これにより、消耗した中和剤１５の上方に位置する中和剤１５を確実に落下させることができる。
【００５９】
本実施の形態の中和装置１においては、中和槽１３は、底面Ｂから上方に延びることによって中和槽１３の内部空間を複数の領域に区切る壁部Ｗを含む。中和剤１５は、内部空間の複数の領域の各々において底面Ｂに載置されている。壁部Ｗは、複数の領域を互いに連通する開口ＯＰを含む。したがって、複数の領域の各々の底面Ｂの面積を小さくすることができる。このため、底面Ｂの全ての領域において中和剤１５をドレンＤと反応させて消耗させやすくすることができる。これにより、消耗した中和剤１５の上方に位置する中和剤１５をさらに落下させやすくすることができる。中和剤１５をさらに落下させやすくすることで、中和能力を安定させることが可能となると共に、中和剤１５が十分残っているにも関わらず中和能力が低下することを防止できる。つまり、中和剤１５が十分に残っているにも関わらず、中和剤１５が固着などにより落下しないために、中和剤１５とドレンＤとの中和反応を十分に確保することができずに中和能力が低下することを防止できる。
【００６０】
本実施の形態の中和装置１においては、底面Ｂは、第１の底面部Ｂ１と、第２の底面部Ｂ２と、立ち上がり部Ｔとを含む。第２の底面部Ｂ２は、第１の底面部Ｂ１よりも他方側面Ｓ２側に配置され、かつ第１の底面部よりも低い位置に配置されている。立ち上がりＴ部は、第２の底面部Ｂ２から立ち上がり、第１の底面部Ｂ１に接続されている。このため、第１の底面部Ｂ１から第２の底面部Ｂ２にドレンＤを流しやすくすることができる。これにより、他方側面Ｓ２側に配置された第２の底面部Ｂ２に載置された中和剤１５をドレンＤと反応させて消耗させやすくすることができる。
【００６１】
本実施の形態の中和装置１においては、流入口１３ａに接続された流路部材１２をさらに備えている。流路部材１２は、流入口１３ａにドレンＤを一定量ずつ供給可能に構成されている。このため、ドレンＤと中和剤１５との反応量を一定化することができる。これにより、中和能力を安定させることができる。
【００６２】
本実施の形態の中和装置１においては、中和剤１５の平衡ｐＨがアルカリ性である。このため、平衡ｐＨがアルカリ性の中和剤１５で酸性のドレンＤを中和することができる。
【００６３】
本実施の形態の熱源機は、上記の中和装置１を備えている。したがって、中和剤１５を確実に落下させることができる中和装置１を備えた熱源機を提供することができる。
【００６４】
なお、中和槽１３は、中和槽１３の各領域（部屋）を連通する開口ＯＰと流入口１３ａと流出口１３ｂとを中和槽１３の奥行方向に互い違いにずらして流入口１３ａから流出口１３ｂに至るドレンＤの流れを蛇行させるように構成されていてもよい。これにより、ドレンＤの中和剤１５との接触時間を長くすることが可能となる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  中和装置、２  ドレンタンク、３  水位検知手段、４  ドレン排出ポンプ、５  逆止弁、６  制御部、１１  ドレン貯留槽、１２  流路部材、１２ａ  取込口、１２ｂ  排出口、１３  中和槽、１３ａ  流入口、１３ｂ  流出口、１４  排出槽、１４ａ  入口、１４ｂ  出口、１５  中和剤、２１  給湯側熱交換器、２２  風呂側熱交換器、２４ａ  給湯配管、２４ｂ  給水配管、２５ａ  往き配管、２５ｂ  配管、２６  燃焼バーナ、２７  送風機、１５１  ドレン流路部、１５２  ストック部、Ｂ  底面、Ｂ１〜Ｂ４  第１〜第４の底面部、ＯＰ  開口、ＯＰ１〜ＯＰ３  第１〜第３の開口部、Ｒ１〜Ｒ４  第１〜第４の領域、Ｓ１  一方側面、Ｓ２  他方側面、Ｔ  立ち上がり部、Ｗ  壁部、Ｗ１〜Ｗ４  第１〜第４の壁部材。
【図１】
2017006817.tif 000003
【図２】
2017006817.tif 000004
【図３】
2017006817.tif 000005
【図４】
2017006817.tif 000006
【図５】
2017006817.tif 000007
【図６】
2017006817.tif 000008